(57)【特許請求の範囲】
【請求項１】
底側クッション材と、前記底側クッション材の上に重ねられる上側クッション材と、前記底側クッション材と前記上側クッション材を覆う表皮材とからなる着座者の臀部を受け止める座面用クッションであって、前記底側クッション材は前記上側クッション材より硬く、且つ前記底側クッション材には着座時に臀部の座骨結節部分及びその周辺部が位置する部分に長尺形状のスリットが並列に複数形成され、前記上側クッション材と同質又は前記上側クッション材より硬く前記底側クッション材より柔らかい長尺形状の嵌入クッション材が、前記底面クッション材の前記スリットに嵌入固着されていることを特徴とする座面用クッション。
【請求項２】
前記スリットが並列に複数形成される領域は、左右一対に設けられていることを特徴とする請求項１に記載の座面用クッション。
【発明の詳細な説明】
【技術分野】
【０００１】  本発明は、着座者の臀部を受け止める座面用クッションに関する。
【背景技術】
【０００２】  従来、座面用クッションは、着座者の臀部を受け止める座面に硬さや厚さ等が異なる複数のクッション材を積層することにより快適な座り心地が提供されるもの（例えば特許文献１）や、クッション材の後縁部に着座者の臀部の坐骨結節部分が収容される凹所を設けて坐骨結節部分への体圧の集中を臀部の平坦部や大腿部の裏側に分散することにより臀部が痛みを感じにくいもの（例えば特許文献２）などが知られている。
【先行技術文献】
【特許文献】
【０００３】
【特許文献１】特開２００２−１６５６７６号公報
【特許文献２】特開２００３−３９４号公報
【発明の概要】
【発明が解決しようとする課題】
【０００４】  ところが、座面用クッションへの着座時間が長くなると、臀部の坐骨結節部分は圧迫に対しては鈍感であるが坐骨結節部分の周辺部は坐骨結節部分より圧迫に対して鋭敏であることから、臀部の坐骨結節部分の周辺部に痛みを感じる。また、臀部の坐骨結節部分への体圧の集中を臀部の平坦部や大腿部の裏側に分散すると、坐骨結節部分の周辺部に圧迫による痛みを感じたり、大腿部の裏側の膝に近い部分は血管や神経が皮膚の表面近くをとおっていることから、体圧を分散することにより血行障害を起こしやすい。【０００５】  本発明は、着座者の臀部を受け止める座面用クッションで、極力簡単な構成で快適な座り心地を提供すると共に、臀部の坐骨結節部分の周辺部に生じる圧迫による痛みを軽減することにある。
【課題を解決するための手段】
【０００６】  上記課題を解決するための手段として、底側クッション材と上側クッション材を表皮材で覆う着座者の臀部を受け止める座面用クッションであって、底側クッション材は上側クッション材より硬く、且つ底側クッション材には着座時に臀部の座骨結節部分及びその周辺部が位置する部分に長尺形状のスリットが並列に複数形成され、上側クッション材と同質又は上側クッション材より硬く底側クッション材より柔らかい長尺形状の嵌入クッション材が底面クッション材のスリットに嵌入固着されている。【０００７】  スリットが並列に複数形成される領域は、着座時に着座者の臀部の坐骨結節部分及びその周辺部が位置する部分を一つの領域として設けることもできるが、左右一対のものとして間隔をあけて設けることもできる。
【発明の効果】
【０００８】  本発明によれば、極力簡単な構成で着座時に快適な座り心地を提供することができるため、着座者の臀部を受け止める座面用クッションの製造コストを低減することができる。また、臀部の座骨結節部分及びその周辺部が位置する部分の底側クッション材に底側クッション材と異なる硬さの長尺形状の嵌入クッション材が並列に複数嵌入固着されているため、着座時間が長くなると、臀部の坐骨結節部分の周辺部に圧迫による痛みを感じる部分と感じていない部分が交互に生じる。臀部の坐骨結節部分の周辺部に圧迫による痛みを感じた際には、痛みを感じる部分を底側クッション材に嵌入固着されている底側クッション材より柔らかい長尺形状の嵌入クッション材の上方に移動させることにより、圧迫による痛みを軽減することができる。
【図面の簡単な説明】
【０００９】
【図１】本発明の一実施形態を示す座面用クッションの斜視図である。（Ａ）は一部欠切外観斜視図であり、（Ｂ）は底側クッション材の斜視図である。
【図２】図１（Ｂ）におけるＣ−Ｃ線断面図である。
【図３】本発明の別の実施形態を示す座面用クッションの斜視図である。（Ａ）は一部欠切外観斜視図であり、（Ｂ）は底側クッション材の斜視図である。
【図４】図３（Ｂ）におけるＤ−Ｄ線断面図である。
【図５】本発明の他の実施形態を示す座面用クッションの斜視図である。（Ａ）は一部欠切外観斜視図であり、（Ｂ）は底側クッション材の斜視図である。
【図６】図５（Ｂ）におけるＥ−Ｅ線断面図である。
【発明を実施するための形態】
【００１０】  以下、本発明の実施の形態を図１〜図６に基づいて説明する。
【００１１】  図１は本発明の一実施形態を示し、底側クッション材４と底側クッション材４の上に重ねられる上側クッション材３を、底側クッション材４と上側クッション材３を覆う表皮材２とからなる着座者の臀部を受け止める着座面の形状が長方形の座面用クッション１であって、底側クッション材４は上側クッション材３より硬く、且つ底側クッション材４には着座時に臀部の左右の座骨結節部分及びその周辺部が位置する部分を一つの領域として、長尺形状のスリット５が前後方向に対して並列に楕円形状になるように複数形成され、上側クッション材３と同質又は上側クッション材３より硬く底側クッション材４より柔らかい長尺形状の嵌入クッション材６が、底面クッション材４の一つの領域として形成されたスリット５に嵌入固着されている。
図２は、図１（Ｂ）におけるＣ−Ｃ線の断面図である。着座時間が長くなることにより、臀部の坐骨結節部分の周辺部に圧迫による痛みを感じた際には、着座位置を前又は後に移動して、痛みを感じる部分を底側クッション材４に嵌入固着されている底側クッション材４より柔らかい長尺形状の嵌入クッション材６の上方に移動させることにより、圧迫による痛みを軽減することができる。
【００１２】  図３は本発明の別の実施形態を示し、底側クッション材４と底側クッション材４の上に重ねられる上側クッション材３を、底側クッション材４と上側クッション材３を覆う表皮材２とからなる着座者の臀部を受け止める着座面の形状が楕円形の座面用クッション１であって、底側クッション材４は上側クッション材３より硬く、且つ底側クッション材４には着座時に臀部の左右の座骨結節部分及びその周辺部が位置する部分を左右一対のものとして間隔をあけて、長尺形状のスリット５が左右方向に対して並列に正方形状になるように複数形成され、上側クッション材３と同質又は上側クッション材３より硬く底側クッション材４より柔らかい長尺形状の嵌入クッション材６が、底面クッション材４の左右一対のものとして間隔をあけて形成されたスリット５に嵌入固着されている。
図４は、図３（Ｂ）におけるＤ−Ｄ線の断面図である。着座時間が長くなることにより、臀部の坐骨結節部分の周辺部に圧迫による痛みを感じた際には、着座位置を左又は右に移動して、痛みを感じる部分を底側クッション材４に嵌入固着されている底側クッション材４より柔らかい長尺形状の嵌入クッション材６の上方に移動させることにより、圧迫による痛みを軽減することができる。
【００１３】  図５は本発明の他の実施形態を示し、底側クッション材４と底側クッション材４の上に重ねられる上側クッション材３を、底側クッション材４と上側クッション材３を覆う表皮材２とからなる着座者の臀部を受け止める着座面の形状が八角形の座面用クッション１であって、底側クッション材４は上側クッション材３より硬く、且つ底側クッション材４には着座時に臀部の左右の座骨結節部分及びその周辺部が位置する部分を含めた底側クッション材の外周縁部を除く領域を一つの領域として、長尺形状のスリット５が前後方向に対して並列に八角形状になるように複数形成され、上側クッション材３と同質又は上側クッション材３より硬く底側クッション材４より柔らかい長尺形状の嵌入クッション材６が、底面クッション材４の一つの領域として形成されたスリット５に嵌入固着されている。
図６は、図５（Ｂ）におけるＥ−Ｅ線の断面図である。着座時間が長くなることにより、臀部の坐骨結節部分の周辺部に圧迫による痛みを感じた際には、着座位置を前又は後に移動して、痛みを感じる部分を底側クッション材４に嵌入固着されている底側クッション材４より柔らかい長尺形状の嵌入クッション材６の上方に移動させることのほかに、着座したままで座面用クッション１を回転させることにより、痛みを感じる部分の一部を底側クッション材４に嵌入固着されている底側クッション材４より柔らかい長尺形状の嵌入クッション材６の上方に移動させることにより、圧迫による痛みを軽減することができる。
【符号の説明】
【００１４】１  座面用クッション
２  表皮材
３  上側クッション材
４  底側クッション材
５  スリット
６  嵌入クッション材
【要約】
【課題】極力簡単な構成で快適な座り心地を提供すると共に、臀部の坐骨結節部分の周辺部に生じる圧迫による痛みを軽減する。
【解決手段】底側クッション材４と上側クッション材３を表皮材２で覆う着座者の臀部を受け止める座面用クッション１であって、底側クッション材４は上側クッション材３より硬く、且つ底側クッション材４には着座時に臀部の座骨結節部分及びその周辺部が位置する部分に長尺形状のスリット５が並列に複数形成され、上側クッション材３と同質又は上側クッション材３より硬く底側クッション材４より柔らかい長尺形状の嵌入クッション材６が底面クッション材４のスリット５に嵌入固着されている。
【選択図】図１【図１】
0005695265.tif 000002
【図２】
0005695265.tif 000003
【図３】
0005695265.tif 000004
【図４】
0005695265.tif 000005
【図５】
0005695265.tif 000006
【図６】
0005695265.tif 000007